(57)【特許請求の範囲】
【請求項１】
第1・第２空気通路（３０）（３１）を有する吸放湿部材（３）と、この吸放湿部材（３）の第２空気通路（３１）を通過する空気を加熱する再生用加熱手段（４）とを備え、上記第１空気通路（３０）を通過する外気の湿分を吸収してその除湿された外気を室内へ給気すると共に、上記第２空気通路（３１）を通過する加熱空気に湿分を放出して上記吸放湿部材（３）を再生する調湿装置であって、上記第１空気通路（３０）に吸い込まれる外気の絶対湿度を検出し、除湿された外気の絶対湿度が目標絶対湿度に近づくように、上記再生用加熱手段（４）の加熱能力を制御することを特徴とする調湿装置。
【請求項２】
加湿部材（６）と、この加湿部材（６）を通過する外気を加熱する加湿用加熱手段（７）とを備え、上記加湿部材（６）を通過する加熱外気に湿分を付与してその加湿された外気を室内へ給気すると共に、室内空気を外部へ排気する調湿装置であって、外気の絶対湿度を検出し、加湿された外気の絶対湿度が目標絶対湿度に近づくように、上記加湿用加熱手段（７）の加熱能力を制御することを特徴とする調湿装置。
【発明の詳細な説明】
【０００１】
【発明の属する技術分野】
この発明は、調湿装置に関するものである。
【０００２】
【従来の技術】
調湿装置（除湿装置）としては、図９に示すように、第１調湿通路４０と、第２調湿通路４１と、この第２調湿通路４１を流れる空気から上記第１調湿通路４０を流れる空気へ水分を移送する吸着ロータ４２と、上記第２調湿通路４１を流れる空気から上記第１調湿通路４０を流れる空気へ熱を移送する顕熱ロータ４３と、上記第１調湿通路４０において上記吸着ロータ４２よりも上流側で、かつ上記顕熱ロータ４３より下流側に設けられた加熱手段４４とを備えたものがあった。すなわち、上記第２調湿通路４１が除湿通路として機能し、室外側吸込口４５から第２調湿通路４１に入った外気ＯＡは吸着ロータ４２によって、水分が吸着されて除湿され、かつ、吸着熱により温度上昇させられ、さらに、顕熱ロータ４３によって熱が奪われて、適切な温度になった除湿空気ＳＡがこの第２調湿通路４１の室内側吹出口４６から室内に向けて供給される。一方、上記第１調湿通路４０が再生通路として機能し、室内からの空気ＲＡが室内側吸込口４７から第１調湿通路４０に流入して、顕熱ロータ４３で予熱され、さらに、加熱手段４４にて加熱される。この加熱された空気によって、吸着ロータ４２から水分が放出されて、吸着ロータ４２が再生されて、水分を含んだ空気ＥＡが室外側吹出口４８から外部へ放出される。
【０００３】
【発明が解決しようとする課題】
ところで、調湿装置は、室内を快適な湿度範囲とするものであり、そのための除湿量は、吸込まれる外気の絶対湿度等によって決定される。しかしながら、上記従来のものでは、加熱手段４４の容量（能力）が一定であるので、外気が多湿状態であれば、除湿量が不足し、逆に少湿状態であれば、過度の除湿を行うことになっていた。
【０００４】
また、加湿部材と、この加湿部材を通過する空気を加熱する加湿用加熱手段とを備え、加湿運転が行える調湿装置においても、加熱手段の容量（能力）が一定であるので、外気が少湿状態であれば、加湿量が不足し、逆に多湿状態であれば、過度の加湿を行うことになっていた。
【０００５】
すなわち、従来では、外気の湿度等の負荷に応じた最適な調湿運転を行うことが困難であった。このため、効率の悪い調湿運転となると共に、快適な湿度を得にくかった。
【０００６】
この発明は、上記従来の欠点を解決するためになされたものであって、その目的は、室内を確実に快適空間に維持することができ、しかも省エネ化を実現することが可能な調湿装置を提供することにある。
【０００７】
【課題を解決するための手段】
そこで請求項１の調湿装置は、第1・第２空気通路３０、３１を有する吸放湿部材３と、この吸放湿部材３の第２空気通路３１を通過する空気を加熱する再生用加熱手段４とを備え、上記第1空気通路３０を通過する外気の湿分を吸収してその除湿された外気を室内へ給気すると共に、上記第２空気通路３１を通過する加熱空気に湿分を放出して上記吸放湿部材３を再生する調湿装置であって、上記第１空気通路３０に吸い込まれる外気の絶対湿度を検出し、除湿された外気の絶対湿度が目標絶対湿度に近づくように、上記再生用加熱手段４の加熱能力を制御することを特徴としている。
【０００８】
上記請求項１の調湿装置では、再生用加熱手段４の加熱能力を制御することによって、吸放湿部材３の除湿量を変化させることができ、外気が多湿状態であっても、逆に少湿状態であっても最適な除湿量とすることが可能となる。これにより、室内を確実に快適空間とすることができる。しかも、無駄な除湿を行うことがない。また、この調湿装置では、外気の絶対湿度を、除湿して目標絶対湿度に近づけようとするものであるので、制御しやすく確実に快適湿度に近づけることが可能である。
【００１５】
請求項２の調湿装置は、加湿部材６と、この加湿部材を通過する外気を加熱する加湿用加熱手段７とを備え、上記加湿部材６を通過する加熱外気に湿分を付与してその加湿された外気を室内へ給気すると共に、室内空気を外部へ排気する調湿装置であって、外気の絶対湿度を検出し、加湿された外気の絶対湿度が目標絶対湿度に近づくように、上記加湿用加熱手段７の加熱能力を制御することを特徴としている。
【００１６】
上記請求項２の調湿装置では、加湿用加熱手段７の加熱能力を制御することによって、加湿部材６の加湿量を変化させることができ、外気が多湿状態であっても、逆に少湿状態であっても最適な加湿量とすることが可能となる。しかも、無駄な加湿を行うことがない。
また、この調湿装置では、外気の絶対湿度を、加湿して目標絶対湿度に近づけようとするものであるので、制御しやすく確実に快適湿度に近づけることが可能である。
【００２３】
【発明の実施の形態】
次に、この発明の調湿装置の具体的な実施の形態について、図面を参照しつつ詳細に説明する。図１はこの発明の調湿装置の実施形態を示す要部簡略図を示し、図２は調湿装置を使用した空気調和システムの全体構成図を示す。この空気調和システムは、調湿装置１と、温調ユニット（温調装置）２とを備え、調湿装置１にて、換気、除湿換気、加湿換気等を行うことができ、温調装置２にて、冷暖房を行うことができる。
【００２４】
調湿装置１は、図１に示すように、吸放湿部材３と、再生用加熱手段４と、積層式顕熱熱交換器５と、加湿部材６と、加湿用加熱手段７と、これらを収納するケーシング８等を備える。また、吸放湿部材３は、吸着ロータから構成され、例えば、シリカゲル、ゼオライト、アルミナ等の吸着材をハニカム状または多孔粒状に成形した円盤体からなり、流通する空気から水分を吸着する一方、加熱された空気に水分を放出するよう構成されている。この場合、吸放湿部材３は、その軸心を中心として回転可能に上記ケーシング８に枢支されている。また、積層式顕熱熱交換器５は、直行する方向の扁平な通路が複数積層され、相互に直行する第１通路部９と第２通路部１０とが構成され、両通路部９、１０を流れる空気の間で顕熱の差を利用して熱交換を行うものである。
【００２５】
ところで、上記ケーシング８は、仕切り板Ｓ・・にて、第１室１１と第２室１２と第３室１３と第４室１４とに仕切られ、第１室１１と第２室１２とでもって第１調湿通路１６が構成され、第３室１３と第４室１４とでもって第２調湿通路１７が構成される。また、第１室１１の開口部が第１調湿通路１６の室外側吸込口１８とされ、第２室１２の開口部が第１調湿通路１６の室内側吹出口１９とされ、第３室１３の開口部が第２調湿通路１７の室内側吸込口２０とされ、第４室１４の開口部が第２調湿通路１７の室外側吹出口２１とされる。そして、第２室１２には給気ファン２３が配設され、第４室１４には排気ファン２４が配置されている。また、再生用加熱手段４は、例えば、ヒータ等からなり、第２調湿通路１７の第４室１４において、吸放湿部材３と積層式顕熱熱交換器５との間に介設されている。
【００２６】
この場合、上記加湿部材６は透湿膜加湿エレメントが使用される。透湿膜加湿エレメントは、例えば、多数の透湿膜のパイプを備え、その外側を水で浸し、パイプ内側を通過する空気に湿分を付与するものであり、微細な孔で不純物を取り除き、清潔で健康的な加湿が可能なものである。そして、この加湿部材６は、第２室１２内に配設され、また、加湿用加熱手段７は、例えば、上記加熱手段４と同様ヒータ等からなり、第１調湿通路１６の第２室１２において、加湿部材６と積層式顕熱熱交換器５との間に介設されている。
【００２７】
そして、上記調湿装置１は、図２に示すように、建物の天井裏等に設置され、室外側吸込口１８は吸込配管２５に接続され、室外側吹出口２１は室外排気配管２６に接続され、室内側吸込口２０は室内空気用配管２７に接続され、室内側吹出口１９は温調装置２に接続される接続配管２８に接続される。なお、室内空気用配管２７は複数の分岐管２９・・を有し、各分岐管２９が台所、トイレ、浴室、納戸等の各部屋に開口している。
【００２８】
次に、上記のように構成された調湿装置１による除湿換気運転する場合を説明する。この場合、加湿を行わないので、加湿部材６を加湿器として機能しない状態としておく。つまり、加湿部材６の水を抜いておき、この加湿部材６を通過する空気に湿分を付与しない状態としておく。この状態において、上記吸放湿部材３を運転（回転）させ、上記給気ファン２３を駆動させると、上記室外側吸込口１８から外気ＯＡが第１調湿通路１６の第１室１１に吸込される。この外気ＯＡは、図示省略のエアフィルタを通過することによって埃等の異物が除去された後、吸放湿部材３内に流入し、ここで水分が吸着されて乾燥し、かつ吸放湿部材３の吸着熱によって温度が上げられ、高温の除湿空気となって上記吸放湿部材３から流出する。そして上記高温の除湿空気は、さらに顕熱熱交換器５の第１通路部９に流入し、ここで上記除湿空気の顕熱が奪われて適切な温度となり、つまり、後述するようにこの顕熱熱交換器５の第２通路１０を室内空気が通過するので、この室内空気とで熱交換が行われて適切な温度となり、この第１通路部９から流出する。この後、除湿空気ＳＡ（給気）は第２室１２内に流入する。この場合、上記のように加湿部材６が加湿機能を発揮しないので、この空気は除湿されたままの状態で、室内側吹出口１９から温調装置２へ給気される。
【００２９】
一方排気ファン２４を駆動させると、上記室内側吸込口２０から室内空気ＲＡ（台所やトイレ等の空気）が第２調湿通路１７の第３室１３内に吸込され、さらに顕熱熱交換器５の第２通路部１０内に流入する。この室内空気ＲＡは、第１通路９を通過する室外空気ＯＡとの熱交換が行われ、ここで予熱された後、この第２通路部１０から流出し、上記加熱手段４を流通することによってさらに加熱される。そして、この加熱された空気が吸放湿部材３内に流入することによって、吸放湿部材３から水分が放出されて、吸放湿部材３が再生される。このとき上記加熱空気が、この水分を吸収して、室外側吹出口２１から排気配管（換気配管）２６を介して外部に向けて水分を含んだ空気ＥＡ（排気）が室外へ放出される。
【００３０】
この場合、吸放湿部材３は、除湿通路としての第１調湿通路１６に位置している部位と、再生通路としての第２調湿通路１７に位置している部位とにおいて、それぞれ空気通路を形成する。すなわち、第１調湿通路１６に位置している部位が第１空気通路３０とされ、第２調湿通路１７に位置している部位が第２空気通路３１とされる。そして、吸放湿部材３は、回転しているので、除湿通路としての第１調湿通路１６に位置している部位が次に再生通路としての第２調湿通路１７に位置して再生されて、再び第１調湿通路１６に位置することになる。以下この工程が繰返されことになる。従って、吸放湿部材３は第１・第２空気通路３０、３１を有することになるが、順次第１調湿通路１６に対応してくる部位が第１空気通路３０となって、この第１空気通路３０が除湿通路となり、順次第２調湿通路１７に対応してくる部位が第２空気通路３１となって、この第２空気通路３１が再生通路となる。このため、吸放湿部材３は湿分の吸放出を繰り返し、外気ＯＡを常に安定して除湿して温調ユニット２へ供給することができる。
【００３１】
次に、この調湿装置１の加湿換気運転を説明する。この場合、給気ファン２３を駆動すれば、低温（例えば、０℃位）の外気ＯＡは、第１室１１に進入した後、この第１室１１を通過して顕熱熱交換器５に入る。この場合、吸放湿部材３は停止状態とされ、除湿器として機能しない。一方温調装置２等にて暖房されて比較的暖かくなっている室内空気ＲＡは、第３室１３に入って顕熱熱交換器５に進入する。この場合、第１通路９を流れる空気と第２通路１０を流れる空気とで顕熱の熱交換が行われ、外気が室内空気にて加熱され、室内空気ＲＡが外気にて冷却される。そして、その室内空気ＲＡは、顕熱熱交換器５から、停止状態とされて再生機能が発揮されない吸放湿部材３を有する第４室１４に入って、室外側吹出口２１から排気配管２７を介して外部へ排気される。また、顕熱熱交換器５から流出した外気ＯＡは、加熱手段７にて加熱されて、加湿器として機能する状態の加湿部材６を通過して室内側吹出口１９から接続配管２８を介して温調装置２に流入する。このため、外気は、加湿部材６にて湿分が付与され、適度な湿気を含んだ新鮮な空気となって温調装置２へ給気される。
【００３２】
ところで、上記温調装置２は、圧縮機と、室外側熱交換器と、減圧機構と、室内側熱交換器等を備え、室外側熱交換器を蒸発器として機能させると共に、室内側熱交換器を凝縮器として機能させることによって、暖房運転を行い、室外側熱交換器を凝縮器として機能させると共に、室内側熱交換器を蒸発器として機能させることによって、冷房運転を行うものである。そして、室内側熱交換器等が配置される室内機３３に上記接続配管２８が接続される。また、この室内機３３には、居室、リビング等の部屋に接続される温調空気用配管３４が連結されている。これによって、室内機３３からは温調された空気がこの温調空気用配管３４を介して各部屋へ給気される。
【００３３】
すなわち、この空気調和システムでは、調湿装置１と温調装置２とは、図２に示すように、信号線１５にて接続され、調湿装置１にて調湿された外気を温調装置２にて温調して、各部屋を適度な温度でかつ適度な湿気を含んだ快適空間とする。そして、この調湿装置１の運転モードとしは、表１に示すように、換気・除湿換気・加湿換気があり、これらの運転モードを手動にて切換える場合と自動的に切換えられる場合がある。
【００３４】
【表１】
0003555590.tif 000002
【００３５】
この表１で分かるように、換気モードでは、吸放湿ロータ（吸放湿部材３）がＯＦＦ、再生空気用加熱手段（再生加熱手段４）がＯＦＦ、透湿膜加湿ユニット（加湿部材６）がＯＦＦとなり、除湿換気モードでは、吸放湿ロータがＯＮ、再生空気用加熱手段がＯＮ、透湿膜加湿ユニットがＯＦＦとなり、加湿換気モードでは、吸放湿ロータがＯＦＦ、再生空気用加熱手段がＯＦＦ、透湿膜加湿ユニットがＯＮとなる。
【００３６】
そして、この調湿装置１は、図３に示すように、目標絶対湿度を設定する室外用設定手段３５と、外気の湿度及び温度を検出する外気用検出手段３６と、目標絶対湿度と外気の湿度（絶対湿度）とを比較する外気用比較手段３７と、この外気用比較手段３７に基づいた運転を行わせる外気用制御手段３９等を備え、この検出された絶対湿度が目標絶対湿度に近づくように、上記再生用加熱手段４の加熱能力を制御するものである。ここで、「検出された絶対湿度が目標絶対湿度に近づくように、再生用加熱手段４の加熱能力を制御する」とは、具体的には、外気温度、外気湿度の条件により、室内湿度を快適な湿度に保つ目標の再生空気温度を決定し、目標の再生空気と現在の再生空気温度とを比較し、フィードバック制御により、加熱手段４の容量（能力）を増減させて、再生空気温度を目標温度に近づけるものである。そのために、目標再生温度（目標の再生空気温度）は、予め再生温度（加熱手段４の出口温度）と湿度（外気絶対湿度）等の関係のテーブルを作成し、このテーブルに基づいて設定する。従って、この制御は、図５のフローチャート図に示すように、目標絶対湿度と検出された絶対湿度との比較を、目標の再生温度と現在の再生温度との差に置き換えて行っている。また、外気検出手段３６は、例えば、温度サミスター等にて温度を検出し、例えば、乾湿球温度計等等にて湿度を検出し、比較手段３７及び制御手段３９は、マイクロコンピュータの機能を含む集積回路等にて構成される。
【００３７】
次に、この除湿運転制御方法を図５のフローチャート図に従って説明する。スタートして、まずステップＳ１で運転中か否かを判断し、運転中でなければ、この制御を終了する。運転中であれば、ステップＳ２へ移行して、この運転モードが除湿運転か否か判断する。そして、除湿運転でなければ、この制御を終了する。除湿運転であれば、ステップＳ３へ移行する。そして、判断遅延タイマ（図示省略）をセットする。その後、ステップＳ４へ移行して、目標の再生温度（目標再生空気温度）と現在の再生温度（現在の再生空気温度）との差を判定する。すなわち、この差が所定値Ｘ以上で所定値Ｙより小さいか否かを判断する。そして、この範囲外であればステップＳ５へ移行し、範囲内であれば、ステップＳ６へ移行する。ステップＳ５では、目標の再生温度と現在の再生温度との差が上記所定値Ｙ以上であるか否かを判断する。そして、所定値Ｙ以上でなければ、ステップＳ７へ移行し、所定値Ｙ以上では、再生用加熱手段４の通電量を上昇（アップ）させて、除湿量を増加させ、その後はステップ６へ移行する。また、ステップＳ７で、目標の再生温度と現在の再生温度との差が上記所定値Ｘより小さいか否かを判断する。小さなければ、ステップＳ６へ移行し、小さければ、再生用加熱手段４の通電量を下降（ダウン）させて、除湿量を減少させ、その後はステップＳ６へ移行する。ステップＳ６では、この制御の判定遅延時間が経過したか否かが判断され、経過していれば、スタートの元の状態に戻る。
【００３８】
ところで、図５において、所定値Ｘとは、これより小さければ快適湿度を得るためには除湿量が多くなりすぎるおそれがある除湿用室外側基準値であり、所定値Ｙはこれ以上大きくなれば快適湿度を得るためには除湿量が不足するおそれがある除湿用室外側基準値である。このように図５に示す制御を行えば、除湿量が不足していれば除湿量を増加させ、除湿量が多ければ除湿量を減少させることになって、室内を快適湿度に近づけることになる。また、無駄な除湿を行うことがなって省エネ化にも寄与する。
【００３９】
また、この調湿装置には、図４に示すように、室内の快適湿度を設定する室内用設定手段３５Ａと、室内の湿度を検出する室内用検出手段３６Ａと、この検出湿度と設定湿度とを比較する室内用比較手段３７Ａと、この室内用比較手段３７Ａの比較に基づいて室内湿度が目標湿度に近づくように制御する室内用制御手段３９Ａとを備える。この場合も、室内用検出手段３６Ａは乾湿球温度計等が使用され、比較手段３７Ａ及び制御手段３９Ａは、マイクロコンピュータの機能を含む集積回路等にて構成され、上記比較手段３７及び制御手段３９を兼ねたものであってもよい。
【００４０】
次に、室内用設定手段３５Ａと室内用検出手段３６Ａと室内用比較手段３７Ａと制御手段３９Ａ等が使用される除湿運転制御方法を図６に示すフローチャート図に従って説明する。スタートして、まずステップＳ８で運転中か否かを判断し、運転中でなければ、この制御を終了する。運転中であれば、ステップＳ９へ移行して、この運転モードが除湿運転か否か判断する。そして、除湿運転でなければ、この制御を終了する。除湿運転であれば、ステップＳ１０へ移行する。そして、判断遅延タイマをセットする。その後、ステップＳ１１へ移行して、目標の湿度と現在の室内湿度との差を判定する。すなわち、この差が所定値Ｘ以上で所定値Ｙより小さいか否かを判断する。そして、この範囲外であればステップＳ１２へ移行し、範囲内であれば、ステップＳ１３へ移行する。ステップＳ１２では、目標の湿度と現在の室内湿度との差が上記所定値Ｙ以上であるか否かを判断する。そして、所定値Ｙ以上でなければ、ステップＳ１４へ移行し、所定値Ｙ以上では、再生用加熱手段４の通電量を上昇（アップ）させて、除湿量を増加させ、その後はステップＳ１３へ移行する。また、ステップＳ１４で、目標の湿度と現在の室内湿度との差が上記所定値Ｘより小さいか否かを判断する。小さなければ、ステップＳ１３へ移行し、小さければ、再生用加熱手段４の通電量を下降（ダウン）させれ、除湿量を減少させ、その後はステップＳ１３へ移行する。ステップＳ１３では、この制御の判定遅延時間が経過したか否かが判断され、経過していれば、スタートの元の状態に戻る。
【００４１】
ところで、図６において、所定値Ｘとは、これより小さければ快適湿度を得るためには除湿量が多くなりすぎるおそれがある除湿用室内側基準値であり、所定値Ｙはこれ以上大きくなれば快適湿度を得るためには除湿量が不足するおそれがある除湿用室内側基準値である。このように図６に示すような制御を行えば、室内の現在湿度と目標の快適湿度とを比較し、フィードバック制御により、加熱手段４の容量（能力）を増減させて、目標湿度に近づけるようにすることになって、より安定して快適湿度に維持することが可能である。
【００４２】
また、除湿運転開始時には、図５に示す制御を行い一定時間経過後に図６に示す制御を行うようにしてもよい。すなわち、図５に示す制御にて室内空気が目標湿度に近づくような除湿運転を行い、所定時間経過後は、図６に示す制御にてこの室内の湿度を目標湿度に近づけるような除湿運転を行うものであって、より短時間に精度の高い除湿運転を行うことができ、省エネ化に大きく寄与する。
【００４３】
ところで、この調湿装置を加湿換気運転中においても、図７のフローチャート図に示すような運転や図８のフローチャート図に示すような運転とを行うことができる。すなわち、図７では、外気用検出手段３６にて検出された絶対湿度が目標絶対湿度に近づくように、上記加湿用加熱手段７の加熱能力を制御するものであり、図８では、室内用検出手段３６Ａにて検出した湿度が目標湿度に近づくように、加湿用加熱手段７の加熱能力を制御するものである。また、図７に示す制御方法では、予め加湿温度温度（加熱手段７の出口温度）と湿度（外気絶対湿度）との関係のテーブルを作成し、このテーブルに基づいて目標加湿温度を設定し、この目標の加湿温度と現在の加湿温度との差に基づいて制御する。
【００４４】
次に、図７のフローチャート図に示す加湿運転制御方法を説明する。スタートして、まずステップＳ１５で運転中か否かを判断し、運転中でなければ、この制御を終了する。運転中であれば、ステップＳ１６へ移行して、この運転モードが加湿運転か否か判断する。そして、加湿運転でなければ、この制御を終了する。加湿運転であれば、ステップＳ１７へ移行する。そして、判断遅延タイマをセットする。その後、ステップＳ１８へ移行して、目標の加湿温度と現在の加湿温度との差を判定する。すなわち、この差が所定値Ｘ以上で所定値Ｙより小さいか否かを判断する。そして、この範囲外であればステップＳ１９へ移行し、範囲内であれば、ステップＳ２０へ移行する。ステップＳ１９では、目標の加湿温度と現在の加湿温度との差が上記所定値Ｙ以上であるか否かを判断する。そして、所定値Ｙ以上でなければ、ステップＳ２１へ移行し、所定値Ｙ以上では、加湿用加熱手段７の通電量を上昇（アップ）させて、加湿量を増加させ、その後はステップＳ２０へ移行する。また、ステップＳ２１で、目標の加湿温度と現在の加湿温度との差が上記所定値Ｘより小さいか否かを判断する。小さなければ、ステップＳ２０へ移行し、小さければ、加湿用加熱手段７の通電量を下降（ダウン）させて、加湿量を減少させ、その後はステップＳ２０へ移行する。ステップＳ２０では、この制御の判定遅延時間が経過したか否かが判断され、経過していれば、スタートの元の状態に戻る。
【００４５】
ところで、図７において、所定値Ｘとは、これより小さければ快適湿度を得るためには加湿量が多くなりすぎるおそれがある加湿用室外側基準値であり、所定値Ｙはこれ以上大きくなれば快適湿度を得るためには加湿量が不足するおそれがある加湿用室外側基準値である。このように図７に示す制御を行えば、加湿量が不足していれば加湿量を増加させ、加湿量が多ければ加湿量を減少させることになって、室内を快適湿度に近づくことになる。このため、無駄な加湿を行うことがなく省エネ化に寄与する。
【００４６】
次に、図８のフローチャート図に示す加湿制御方法を説明する。スタートして、まずステップＳ２２で運転中か否かを判断し、運転中でなければ、この制御を終了する。運転中であれば、ステップＳ２３へ移行して、この運転モードが加湿運転か否か判断する。そして、加湿運転でなければ、この制御を終了する。加湿運転であれば、ステップＳ２４へ移行する。そして、判断遅延タイマをセットする。その後、ステップＳ２５へ移行して、目標の湿度と現在の室内湿度との差を判定する。すなわち、この差が所定値Ｘ以上で所定値Ｙより小さいか否かを判断する。そして、この範囲外であればステップＳ２６へ移行し、範囲内であれば、ステップＳ２７へ移行する。ステップＳ２６では、目標の湿度と現在の室内湿度との差が上記所定値Ｙ以上であるか否かを判断する。そして、所定値Ｙ以上でなければ、ステップＳ２８へ移行し、所定値Ｙ以上では、加湿用加熱手段７の通電量を上昇（アップ）させて、加湿量を増加させ、その後はステップＳ２７へ移行する。また、ステップＳ２８で、目標の湿度と現在の室内湿度との差が上記所定値Ｘより小さいか否かを判断する。小さくなければ、ステップＳ２７へ移行し、小さければ、加湿用加熱手段７の通電量を下降（ダウン）させて、加湿量を減少させ、その後はステップＳ２７へ移行する。ステップＳ２７では、この制御の判定遅延時間が経過したか否かが判断され、経過していれば、スタートの元の状態に戻る。
【００４７】
ところで、図８において、所定値Ｘとは、これより小さければ快適湿度を得るためには加湿量が多くなりすぎるおそれがある加湿用室内側基準値であり、所定値Ｙはこれ以上大きくなれば快適湿度を得るためには加湿量が不足するおそれがある加湿用室内側基準値である。このように室内の現在湿度と目標の快適湿度とを比較し、フィードバック制御により、加湿用加熱手段７の容量（能力）を増減させて、目標湿度に近づけるようにすることによって、より安定して快適湿度に維持することが可能である。
【００４８】
また、加湿運転開始時には、図７に示す制御を行い一定時間経過後に図８に示す制御を行うようにしてもよい。すなわち、図７に示す制御にて室内空気が目標湿度に近づくような加湿運転を行い、所定時間経過後は、図８に示す制御にてこの室内の湿度を目標湿度に近づけるような加湿運転を行うものであって、短時間に精度の高い加湿運転を行うことができ、省エネ化に大きく寄与する。
【００４９】
以上にこの発明の調湿装置の具体的な実施の形態について説明したが、この発明の調湿装置は上記実施の形態に限定されるものではなく、種々変更して実施することが可能である。例えば、快適範囲の湿度は、使用者の所望のものに変更可能である。また、図例では、温調装置２が調湿装置１と接続配管２８にて接続されている場合を示しているが、調湿装置と独立状となっているものであってもよい。すなわち、調湿装置１にて調湿された空気が直接的に各室内（部屋）へ給気され、各部屋毎に設けられた温調ユニット（エアコンの室内機）にて温調されるものであってもよい。
【００５０】
【発明の効果】
請求項１の調湿装置によれば、外気が多湿状態であっても、逆に少湿状態であっても最適な除湿量とすることが可能となる。これにより、室内を確実に快適空間とすることができる。しかも、無駄な除湿を行うことがないので、省エネ化に寄与する。また、この調湿装置によれば、制御しやすく確実に快適湿度に近づけることが可能である。このため、迅速に室内を快適空間とすることができる。
【００５４】
請求項２の調湿装置によれば、外気が多湿状態であっても、逆に少湿状態であっても最適な加湿量とすることが可能となる。これにより、室内を確実に快適空間とすることができる。しかも、無駄な加湿を行うことがないので、省エネ化に寄与する。また、この調湿装置によれば、制御しやすく確実に快適湿度に近づけることが可能である。このため、迅速に室内を快適空間とすることができる。
【図面の簡単な説明】
【図１】この発明の調湿装置の実施形態を示す簡略図である。
【図２】上記調湿装置を使用した空気調和システムの全体簡略図である。
【図３】上記調湿装置の要部簡略ブロック図である。
【図４】上記調湿装置の他の要部簡略ブロック図である。
【図５】上記調湿装置の除湿運転制御方法を示すフローチャート図である。
【図６】上記調湿装置の他の除湿運転制御方法を示すフローチャート図である。
【図７】上記調湿装置の加湿運転制御方法を示すフローチャート図である。
【図８】上記調湿装置の他の加湿運転制御方法を示すフローチャート図である。
【図９】従来の調湿装置の簡略図である。
【符号の説明】
３    吸放湿部材
４    再生用加熱手段
６    加湿部材
７    加湿用加熱手段
３０    第１空気通路
３１    第２空気通路
【図１】
0003555590.tif 000003
【図２】
0003555590.tif 000004
【図３】
0003555590.tif 000005
【図４】
0003555590.tif 000006
【図５】
0003555590.tif 000007
【図６】
0003555590.tif 000008
【図７】
0003555590.tif 000009
【図８】
0003555590.tif 000010
【図９】
0003555590.tif 000011